(57)【要約】【課題】簡単な構造のマウント部を有するレンズ鏡筒を提供する。【解決手段】本発明のレンズ鏡筒（２）は、カメラ（１）のカメラ側マウント部（２０）に着脱可能なレンズ側マウント部（５０）と、撮影レンズ（４０）とを備えたレンズ鏡筒であって、前記レンズ側マウント部上で、前記撮影レンズの光軸方向において前記撮影レンズの射出方向に向いて配置された、該カメラとの通信用のレンズ側接点部（５５）と、前記レンズ側接点部よりも前記光軸方向において前記撮影レンズの射出方向側に突出して形成された、前記レンズ側接点部の保護用のレンズ側突部（５７）と、を備え、前記レンズ側突部は、前記レンズ鏡筒が前記カメラに装着される際に、前記カメラ側マウント部（に設けられた嵌合部（２４ｂ）と嵌合し、前記カメラに対する該レンズ鏡筒の径方向の位置を規制すること、を特徴とする。【選択図】図１
2010117664.tif 000002
【特許請求の範囲】
【請求項１】
カメラのカメラ側マウント部に着脱可能なレンズ側マウント部と、撮影レンズとを備えたレンズ鏡筒であって、
前記レンズ側マウント部上で、前記撮影レンズの光軸方向において前記撮影レンズの射出方向に向いて配置された、該カメラとの通信用のレンズ側接点部と、
前記レンズ側接点部よりも前記光軸方向において前記撮影レンズの射出方向側に突出して形成された、前記レンズ側接点部の保護用のレンズ側突部と、を備え、
前記レンズ側突部は、前記レンズ鏡筒が前記カメラに装着される際に、前記カメラ側マウント部に設けられた嵌合部と嵌合し、前記カメラに対する該レンズ鏡筒の径方向の位置を規制すること、
を特徴とするレンズ鏡筒。
【請求項２】
請求項１に記載のレンズ鏡筒であって、
前記レンズ側突部の前記射出方向側の端部は、該レンズ鏡筒の前記光軸方向において最も前記射出方向側に位置すること、
を特徴とするレンズ鏡筒。
【請求項３】
請求項１又は２に記載のレンズ鏡筒であって、
前記レンズ側突部は、光軸を中心とした円周方向に所定長さだけ連続して設けられていること、
特徴とするレンズ鏡筒。
【請求項４】
請求項１〜３のいずれか１項に記載のレンズ鏡筒であって、
前記カメラは、前記レンズ側接点部に当接するカメラ側接点部と、前記カメラ側接点部よりも光軸方向レンズ側に突出して形成された前記カメラ側接点部の保護用のカメラ側突部と、を備えるものであり、
該レンズ鏡筒は、前記レンズ側マウント部とカメラ側マウント部とが接続される際に、前記カメラ側突部が挿入される凹部を有すること、
を特徴とするレンズ鏡筒。
【請求項５】
請求項１〜４のいずれか１項に記載のレンズ鏡筒であって、
前記カメラは、前記レンズ鏡筒と前記カメラとの間の締結が強くなる方向に前記レンズ鏡筒を付勢する付勢部材を有するものであり、
該レンズ鏡筒は、前記カメラに装着される際に、前記付勢部材により前記カメラ側に付勢されること、
を特徴とするレンズ鏡筒。
【発明の詳細な説明】
【技術分野】
【０００１】
本発明は、カメラとの通信に使用される電気接点を有するレンズ鏡筒に関するものである。
【背景技術】
【０００２】
レンズ鏡筒において、カメラとの間の制御信号の送受信や、カメラからの電源の供給用に、電気接点が設けられているものがある。この電気接点は、一般にレンズ鏡筒のマウント部に設けられているため、レンズ鏡筒の交換時に露出してしまう。この露出時に、電気接点が他の物体とぶつかったりする可能性があるため、従来、電気接点保護用の保護壁が設けられたレンズ鏡筒がある（例えば、特許文献１参照）。
【特許文献１】特開２００６−２６７６９７号公報
【発明の開示】
【発明が解決しようとする課題】
【０００３】
また、カメラに装着されるレンズ鏡筒は、カメラに対するレンズ鏡筒との径方向の位置決めが必要である。このため、レンズ鏡筒とカメラとにおいて、互いに嵌合し合う嵌合壁部を設け、これらの嵌合によってカメラに対するレンズ鏡筒との径方向の位置決めが行われる。上記従来技術においては、この嵌合壁部と保護壁とが別々に設けられているため、マウント部の構造が複雑になり、スペースの余裕がなくなると共に、製造の工程も多かった。
【０００４】
本発明の課題は、簡単な構造のマウント部を有するレンズ鏡筒を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、カメラ（１）のカメラ側マウント部（２０）に着脱可能なレンズ側マウント部（５０）と、撮影レンズ（４０）とを備えたレンズ鏡筒（２）であって、前記レンズ側マウント部（５０）上で、前記撮影レンズ（４０）の光軸方向において前記撮影レンズ（４０）の射出方向に向いて配置された、該カメラ（１）との通信用のレンズ側接点部（５５）と、前記レンズ側接点部（５５）よりも前記光軸方向において前記撮影レンズ（４０）の射出方向側に突出して形成された、前記レンズ側接点部（５５）の保護用のレンズ側突部（５７）と、を備え、前記レンズ側突部（５７）は、前記レンズ鏡筒（２）が前記カメラ（１）に装着される際に、前記カメラ側マウント部（２０）に設けられた嵌合部（２４ｂ）と嵌合し、前記カメラ（１）に対する該レンズ鏡筒（２）の径方向の位置を規制すること、を特徴とするレンズ鏡筒（２）である。
請求項２に記載の発明は、請求項１に記載のレンズ鏡筒（２）であって、前記レンズ側突部（５７）の前記射出方向側の端部は、該レンズ鏡筒（２）の前記光軸方向において最も前記射出方向側に位置すること、を特徴とするレンズ鏡筒（２）である。
請求項３に記載の発明は、請求項１又は２に記載のレンズ鏡筒（２）であって、前記レンズ側突部（５７）は、光軸を中心とした円周方向に所定長さだけ連続して設けられていること、特徴とするレンズ鏡筒（２）である。
請求項４に記載の発明は、請求項１〜３のいずれか１項に記載のレンズ鏡筒（２）であって、前記カメラ（１）は、前記レンズ側接点部（５５）に当接するカメラ側接点部（２７）と、前記カメラ側接点部（２７）よりも光軸方向レンズ側に突出して形成された前記カメラ側接点部（２７）の保護用のカメラ側突部（３５）と、を備えるものであり、該レンズ鏡筒（２）は、前記レンズ側マウント部（５０）とカメラ側マウント部（２０）とが接続される際に、前記カメラ側突部（３５）が挿入される凹部（５９ｂ）を有すること、を特徴とするレンズ鏡筒（２）である。
請求項５に記載の発明は、請求項１〜４のいずれか１項に記載のレンズ鏡筒（２）であって、前記カメラ（１）は、前記レンズ鏡筒（２）と前記カメラ（１）との間の締結が強くなる方向に前記レンズ鏡筒（２）を付勢する付勢部材（２２ａ）を有するものであり、該レンズ鏡筒（２）は、前記カメラ（１）に装着される際に、前記付勢部材（２２ａ）により前記カメラ（１）側に付勢されること、を特徴とするレンズ鏡筒（２）である。
【０００６】
なお、符号を付して説明した構成は、適宜改良してもよく、また、少なくとも一部を他の構成物に代替してもよい。
【発明の効果】
【０００７】
本発明によれば、レンズ鏡筒のマウント部の構造を簡単にすることができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、カメラ（カメラボディ)１と、そのカメラ１に結合された本発明の実施形態に係るレンズ鏡筒２とを含むカメラシステムの縦断面図である。図２は、図１に示すレンズ鏡筒２の背面図であり、図３は、図１に示すカメラ１の正面図である。図１及び図３に示すように、カメラ１は、筐体１０、ボディ側マウント部２０を備えている。筐体１０は、カメラ１の外観面を形成する部分であり、例えば、金属材料や合成樹脂材料によって略直方体の箱形に形成されている。
【００１０】
筐体１０の内部には、ＣＣＤ、ＣＭＯＳ等の撮像素子１２が配置され、ＣＣＤ押え板１３に支持されるＣＣＤケース１４内に装着されている。周知のように、このＣＣＤケース１４内には、撮像素子１２に加えてカバーガラス１５及びローパスフィルタ１６も設けられている。筐体１０の前面部には、図３において正面から見て円形の開口部（以下、筐体開口部１１と称する）が形成されている。なお、カメラ１の前面部とは、カメラ１の各面のうち、撮影時に被写体に対向する面の部分を意味するものとする。
【００１１】
ボディ側マウント部２０は、カメラ１とレンズ鏡筒２とを接続するマウント機構のカメラ側を形成するものである。マウント部２０は、マウント部２０のベースとなるマウント基部２１、マウント基部２１の外周を覆う前飾り環２２、前飾り環２２から内周側に突出する爪部２３、基準面を規定するボディ側マウント嵌合板２４、レンズ着脱ピン２６（図３に図示）、電気接点である複数の接点ピン２７、接点ピン２７を保持する接点ブロック２８等を備えたバヨネット式のマウントである。
【００１２】
マウント基部２１は、例えば、黒色系の色の合成樹脂材料によって形成された部材であり、筐体１０の筐体開口部１１の内側面に固定されている。マウント基部２１は、筐体１０の正面に形成された筐体開口部１１の周縁部から、その内径側につば状に突き出して設けられている。マウント基部２１の中央部には、被写体光が通過するマウント開口部２１ａが形成されている。このマウント開口部２１ａは、円形に形成されており、固定式の絞り部として機能させることもできる。また、レンズ鏡筒２からカメラ１に向けて進行する被写体光は、このマウント開口部２１ａを通過して撮像素子１２に導かれる。
【００１３】
前飾り環２２は、筐体開口部１１の周縁部に沿って延在する円環状の部材であり、例えば金属材料によって形成されている。前飾り環２２は、マウント基部２１（図３に図示）にビスＶ１によって固定されている。前飾り環２２は、筐体開口部１１の周縁部を外部から視認できない状態とすることによって、カメラ１の外観品質を向上させる機能を有する。前飾り環２２とマウント基部２１との間には円周方向に離間して３個のマウント当接バネ２２ａが設けられていて、レンズ側マウント面をボディ側に押し付ける、もしくは引き込む構造となっている。
【００１４】
爪部２３は、カメラ１にレンズ鏡筒２が装着された状態において、後述するレンズ鏡筒２のマウント部５０に備えられた爪部５２（図２参照）と機械的に係合することによって、カメラ１とレンズ鏡筒２との光軸方向への相対移動を制限するものである。爪部２３は、前飾り環２２の内周面から内径側に突き出して形成され、光軸周りに略等しい間隔で、例えば、３つが設けられている。
【００１５】
ボディ側マウント嵌合板２４は、例えば、金属材料によって円環状に形成された板状の部材であり、マウント基部２１にビスＶ２によって固定されている。このボディ側マウント嵌合板２４は、図３において正面から見て前飾り環２２の内径側に配置されている。ボディ側マウント嵌合板２４は、筐体１０と一体でもよいが、形状精度を上げるため、本実施形態では円環状の別部材となっている。
【００１６】
ボディ側マウント嵌合板２４における軸方向において被写体側を向いた面は、フランジバック長を規定する基準面となるマウント面２４ａとして機能する。また、ボディ側マウント嵌合板２４の内周面２４ｂは、後述するレンズ鏡筒２に設けられた嵌合壁部５７の外周面５７ａと係合してレンズ鏡筒２の径方向の位置を位置決めを行う。
【００１７】
図３に示すレンズ着脱ピン２６は、ボディ側マウント嵌合板２４から光軸方向被写体側に突き出して形成されている。このレンズ着脱ピン２６は、レンズ鏡筒２がカメラ１に装着された状態で、レンズ鏡筒２のマウント部５０に設けられたピン穴５４（図２参照）に嵌合することによって、レンズ鏡筒２とカメラ１との光軸周りの相対回転を制限する。
【００１８】
レンズ着脱ピン２６は、マウント基部２１から突出したレンズ鏡筒ロック位置と、マウント基部２１に収容されるレンズ鏡筒アンロック位置との間を移動可能になっており、通常、図示しないバネによってロック位置に付勢されている。筐体１０の前面部には、レンズ着脱ボタン２６ａが設けられており、このレンズ着脱ボタン２６ａを押し込むことによってレンズ着脱ピン２６をバネに抗してアンロック位置に移動させることができる。
【００１９】
接点ピン２７は、カメラ１とレンズ鏡筒２とを電気的に接続するものである。接点ピン２７は、マウント基部２１のマウント開口部２１ａの周縁部において、その周縁部に沿って湾曲した接点ブロック２８内に配置されている。接点ピン２７は、複数（本実施形態では、例えば、９個）が隣接して配列され、押え板２９によって接点ブロック２８に固定されている。後述するが、レンズ鏡筒２がカメラ１に装着された状態で、レンズ鏡筒２のマウント部５０に備えられた電気接点５５（図２参照）に接触する。カメラ１は、これらの接点の一部を用いてレンズ鏡筒２に電力を供給し、接点の他部を用いてレンズ鏡筒２と電気通信を行う。
【００２０】
接点ピン２７は、上述のマウント面２４ａよりも内径側の領域から光軸方向の被写体側に突き出して設けられている。接点ピン２７は、マウント基部２１から突出する突出位置と、マウント基部２１に収容される収容位置との間を移動可能な可動接点であり、通常、接点ブロック２８内において押え板２９と各接点ピン２７との間に設けられたバネ３０によって突出位置に付勢されている。接点ピン２７は、バネ３０を介してフレキシブルプリント回路（ＦＰＣ）３１に接続され、ＦＰＣ３１は、ＣＰＵ３４を含むボディ側実装基板３２に設けられたコネクタ３３に接続されている。
【００２１】
マウント基部２１の被写体側の面には、接点ブロック２８の半径方向内側に、接点ピン２７を保護する突部３５が形成されている。突部３５は、マウント基部２１の光軸方向被写体側（レンズ鏡筒２側）を向いた面から光軸方向被写体側に突き出して設けられている。突部３５は、接点ピン２７及びマウント開口部２１ａの開口縁部と平行に延在する１つの突条部分であり、複数の接点ピン２７に対向する面は、連続面になっている。なお、後述するように、レンズ側には突部３５を受ける凹部５９ｂが形成されている。
【００２２】
次に、レンズ鏡筒２の構成について図１及び図２を参照して説明する。レンズ鏡筒２は、カメラ１に着脱可能であって、撮影レンズ４０、マウント部５０、鏡筒本体部６０を備えている。鏡筒本体部６０は、例えば、合成樹脂材料によって円筒形状に形成されたレンズ鏡筒２の筐体である。撮影レンズ４０は、カメラ１に備えられた撮像素子１２に被写体光を導く光学系を構成しており、鏡筒本体部６０の内部に絞り４１と共に収容されている。撮影レンズ４０は、複数のレンズ群によって形成され、ズームレンズやフォーカスレンズを含んでいる。
【００２３】
レンズ側マウント部５０は、カメラ１とレンズ鏡筒２とを締結するマウント機構のレンズ側を形成するものである。なお、図１を含む各図面に示されたレンズ鏡筒２は、カメラ１に装着可能なレンズ鏡筒の一例であり、カメラ１は、このレンズ鏡筒２と実質的に同じ構成のマウント部を備えた複数種類のレンズ鏡筒が選択的に装着可能になっている。レンズ鏡筒２のマウント部５０は、マウント基部５１、及びその中央に配置された後部カバー５９とを有する。後部カバー５９は、ビスＶ３によりマウント基部５１に取り付けられ、被写体光を通過させるための開口５９ａを有している。
【００２４】
マウント基部５１は、レンズ鏡筒２をカメラ１に装着した場合に光軸方向においてカメラ側にある鏡筒本体部６０の開口部を覆う環状の部分であり、爪部５２、マウント面５３、ピン穴５４、電気接点５５、嵌合壁部５７を備えている（ピン穴５４、電気接点５５については、図２参照）。
【００２５】
マウント面５３は、レンズ鏡筒２をカメラ１に装着した場合に光軸方向においてカメラ側を向いた円環状の面であり、その円環の中心軸線は、光軸Ａと略一致している。マウント面５３は、レンズ鏡筒２がカメラ１に装着された状態において、カメラ１のマウント面２４ａと当接し、レンズ鏡筒２における基準面となる。
【００２６】
爪部５２は、マウント面５３の外周面からレンズ鏡筒２の径方向外側に突き出して形成されている。爪部５２は、光軸周りに略等しい間隔で、例えば、３つが設けられている。爪部５２は、光軸Ａを中心として周方向に延在して設けられ、その先端面は、円筒面の一部（円弧面）を形成している。ピン穴５４は、カメラ１のマウント部２０に備えられた上述のレンズ着脱ピン２６が挿入される部分であり、光軸方向においてカメラ側を向いたマウント基部５１の面に形成されている。
【００２７】
電気接点５５は、マウント基部５１に固定された固定接点であり、レンズ鏡筒２がカメラ１に装着された状態において、カメラ１のマウント部２０に備えられた接点ピン２７に接触する位置に設けられている。電気接点５５は、インサートモールドにより形成され、嵌合壁部５７の内径側に設けられた接点ブロック５６内に配置されており、光軸Ａを中心として周方向に複数個（本実施形態では、例えば、９個）が配列される。レンズ側マウント部５０の後部カバー５９は、上述した電気接点５５の列の半径方向内側に、カメラ側の接点ピン２７の列の半径方向内側に上述のように設けられた突部３５を受けるための凹部５９ｂを有している。
【００２８】
接点ブロック５６は、カメラ１とレンズ鏡筒２とが接続された状態で、前述したカメラ１のマウント部２０のマウント基部２１に設けられた接点ブロック２８に対峙する接点収容部分であり、光軸Ａを中心として周方向に延在している。接点ブロック５６に設けられた各電気接点５５は、例えばフレキシブルプリント回路（ＦＰＣ）５８を介して、レンズ側実装基板６１に設けられたコネクタ６２に接続されている。
【００２９】
嵌合壁部５７は、マウント面５３の内周側において電気接点５５よりもボディ側に突出するようにして円環状に形成された部分であり、その端面は、レンズ鏡筒２の光軸Ａ方向において最も射出方向側に位置している。嵌合壁部５７の外周面５７ａは、上述のように、レンズ鏡筒２がカメラ１に装着された状態において、カメラ１のボディ側マウント嵌合板２４の内周面２４ｂに当接し、レンズ鏡筒２とカメラ１との径方向の相対移動を制限する。そして、嵌合壁部５７の内周面５７ａとボディ側マウント嵌合板２４の内周面２４ｂとにより、カメラ１に対するレンズ鏡筒２の径方向の装着位置を規定する位置決めが行われる。
【００３０】
次に、レンズ鏡筒２をカメラ１に装着する際の手順について説明する。使用者は、まずカメラ１とレンズ鏡筒２とを光軸方向に相対移動させて接近させる。そして、カメラ１の前飾り環２２の内径側にレンズ鏡筒２のマウント基部５１を挿入して、互いのマウント面２４ａ、５３同士を当接させる。このとき、レンズ鏡筒２の各爪部５２は、カメラ１の各爪部２３と爪部２３との間に配置する。
【００３１】
次いで、爪部２３、５２同士の光軸周りの位置が重なるようにレンズ鏡筒２とカメラ１とを光軸周りに相対回転させる。これによって、マウント当接バネ２２ａによりレンズ鏡筒２がカメラ側に引き込まれると共に、レンズ着脱ピン２６がピン穴５４に嵌合し、カメラ１とレンズ鏡筒２との締結が完了する。また、この相対回転によって、電気接点２７、５５は接触状態となる。
【００３２】
このレンズ鏡筒２のカメラ１への装着時において、カメラ１側の突部３５は、レンズ鏡筒２側の凹部５９ｂ内を移動するため、突部３５が後部カバー５９と衝突することがない。また、レンズ鏡筒２のマウント面５３と、カメラ１のマウント面２４ａとが当接し、レンズ鏡筒２のカメラ１に対する光軸方向の位置決めが行われる。さらに、ボディ側マウント嵌合板２４の内周面２４ｂと、レンズ鏡筒２に設けられた嵌合壁部５７の外周面５７ａとが係合してレンズ鏡筒２のカメラ１に対する径方向の位置決めが行われる。
【００３３】
レンズ鏡筒２をカメラ１から取り外す場合には、図３に示されたレンズ着脱ボタン２６ａを光軸方向に押し込んで、レンズ着脱ピン２６を図２に示されたピン穴５４から解放する。そして、レンズ鏡筒２をカメラ１に対して回転し、爪部２３、５２同士の係合を解除し、レンズ鏡筒２をカメラから引き離す。
【００３４】
このようにしてカメラ１から取り外されたレンズ鏡筒２は、図４に示すように、例えば机上面７０等に一時的に置かれることがある。しかし、本実施形態のレンズ鏡筒２のマウント基部５１には、電気接点５５に隣接して嵌合壁部５７が設けられている。この嵌合壁部５７は、上述のように電気接点５５よりもカメラ１に突出するように設けられている。
【００３５】
従って、レンズ鏡筒２を机上等に置いた場合、レンズ鏡筒２はその嵌合壁部５７の環状端面を机上面７０に先に乗せて自立するため、電気接点５５が机上面７０に接触することがない。また、机上面７０に、図４において符号７１で示すような異物７１が存在する場合も、嵌合壁部５７の高さ分だけその異物７１が電気接点５５と接触する可能性が小さくなる。
【００３６】
以上、本実施形態によると以下の効果を有する。
（１）レンズ鏡筒２に設けられた嵌合壁部５７の環状端面は、レンズ鏡筒２の光軸方向において最も射出方向側に位置するので、電気接点５５を下側にしてレンズ鏡筒２を、例えば机上に置いた場合において、レンズ側の電気接点５５の損傷を確実に防止することができる。
（２）このように嵌合壁部５７は、レンズ側の電気接点５５の保護部としても機能する一方、その外周面５７ａは、ボディ側マウント嵌合板２４の内周面２４ｂと係合することによりレンズ鏡筒２のカメラ１に対する径方向の位置を位置決めを行うことができる。
（３）嵌合壁部５７は、電気接点５５の保護部材としての機能と、レンズ鏡筒２のカメラ１に対する位置決めとしての機能も有するため、保護部材と位置決め部材とを別々に設置する必要がない。したがって、設置スペースを小さくすることができるだけでなく、製造工程を減らしてコストダウンを図ることができ、しかも関連部品を構造的に簡略化することができるので、設計の自由度が増す。
（４）嵌合壁部５７が嵌合部及び保護部を兼用する構成として設計の自由度が増すことにより、電気接点５５を径方向のより外側に配置することができるので、電気接点５５の数を例えば１２ピンにするなどして増すことができる。
（５）レンズ側にある嵌合壁部５７がマウント基部５１の全周にわたり連続して設けられているため、加工が容易となり、その真円度を増すことができる。
（６）本実施形態によると、カメラ１側にも、接点ピン２７を保護する突部３５が設けられているため、カメラ側の電気接点である接点ピン２７も保護することができる。そして、レンズ側マウント部５０とカメラ側マウント部２０とが接続される際に、その突部３５が挿入される凹部５９ｂがレンズ側マウント部５０に設けられているため、マウント時に突部３５が障害となることはない。
【００３７】
（変形形態）
本発明は、以上説明した実施形態に限定されることなく、以下に示すような種々の変形や変更が可能である。
（１）本実施形態では、レンズ鏡筒２側にある嵌合壁部５７を、マウント基部５１の全周にわたり連続して延びるように構成したが、これに限定されず、円周に沿った一部分でもよく、また断続的に形成されていてもよい。
（２）突部３５はマウント基部２１に一体に設けられた樹脂成型品とするのが好ましいが、別部材としてもよい。また、別部材とした場合、突部３５を形成する材料は、合成樹脂材料に限られず、例えば、金属等の他の材料であってもよい。
（３）実施形態において、マウント基部２１に形成される開口部２１ａは円形としたが、例えば、矩形状等の他の形状であってもよい。
なお、実施形態及び変形形態は、適宜組み合わせて用いることもできるが、詳細な説明は省略する。また、本発明は以上説明した実施形態によって限定されることはない。
【図面の簡単な説明】
【００３８】
【図１】本発明の実施形態に係るレンズ鏡筒と、そのレンズ鏡筒が結合されたカメラをと含むカメラシステムの縦断面図である。
【図２】図１に示すレンズ鏡筒の背面図である。
【図３】図１に示すカメラの正面図である。
【図４】図１のレンズ鏡筒を平面上に置いた場合のその縦断面図である。
【符号の説明】
【００３９】
１：カメラ、２：レンズ鏡筒、２０：ボディ側マウント部、２１：マウント基部、２１ａ：マウント開口部、２２：前飾り環、２２ａ：マウント当接バネ、２４：ボディ側マウント嵌合板、２４ａ：マウント面、２４ｂ：内周面、２７：接点ピン、３５：突部、４０：撮影レンズ、５０：レンズ側マウント部、５３：マウント面、５５：電気接点、５７：嵌合壁部、５７ａ：外周面、５９ｂ：凹部
【図１】
2010117664.tif 000003
【図２】
2010117664.tif 000004
【図３】
2010117664.tif 000005
【図４】
2010117664.tif 000006